(57)【要約】      （修正有）【課題】生地の有効活用を図った掛け布団用カバーを提供する。【解決手段】掛け布団用カバーは、矩形形状の下側生地と、この下側生地の外形形状に対応すると共に、掛け布団を出し入れする開口部を有する上側生地とを備え、この上側生地と下側生地とは縫製により結合され、上側生地と下側生地との間に掛け布団を収納できる掛け布団用カバーであって、上側生地の左右に対称的に設けられた一対のＥ字状部材Ｅ、Ｅ’は、 幅寸法一定の長尺の生地を左右に対称的に裁断すると共に、左側第１水平部Ｅ1、左側第２水平部Ｅ2、右側第１水平部Ｅ1’、右側第２水平部Ｅ2’の切り抜きによって生じる裁断時の生地及び、左側第２水平部Ｅ2、左側第３水平部Ｅ3、右側第２水平部Ｅ2’、右側第３水平部Ｅ3’の切り抜きによって生じる裁断時の生地をそれぞれ接続部材として利用する。【選択図】図７
2006333917.tif 000002
【特許請求の範囲】
【請求項１】
矩形形状の下側生地と、
この下側生地の外形形状に対応すると共に、掛け布団を出し入れする開口部を有する上側生地とを備え、
この上側生地と前記下側生地とは縫製により結合され、前記上側生地と前記下側生地との間に掛け布団を収納できる掛け布団用カバーであって、
前記上側生地は、左右に対称的に設けられた一対のＥ字状部材と、この一対のＥ字状部材を接続する接続部材とを有し、
前記一対のＥ字状部材は、左側Ｅ字状部材と、右側Ｅ字状部材とを有し、
前記左側Ｅ字状部材は、左側垂直部と、この左側垂直部より側方に張り出す左側      第１水平部、左側第２水平部、左側第３水平部とを有し、
前記右側Ｅ字状部材は、右側垂直部と、この右側垂直部より側方に張り出す右側      第１水平部、右側第２水平部、右側第３水平部とを有し、
前記接続部材は、第１接続部材と、第２接続部材と、第３接続部材とを有し、
前記第１接続部材は、前記左側第１水平部と前記右側第１水平部とを接続するものであり、
前記第２接続部材は、前記左側第２水平部と前記右側第２水平部とを接続するものであり、
前記第３接続部材は、前記左側第３水平部と前記右側第３水平部とを接続するものであり、
前記開口部は、第１開口部と第２開口部であり、
前記第１開口部は、前記左側垂直部、前記左側第１水平部、前記第１接続部材、前記右側第１水平部、前記右側垂直部、前記右側第２水平部、前記第２接続部材、前記左側第２水平部により囲まれた部分であり、
前記第２開口部は、前記左側垂直部、前記左側第２水平部、前記第２接続部材、前記右側第２水平部、前記右側垂直部、前記右側第３水平部、前記第３接続部材、前記左側第３水平部により囲まれた部分であり、
前記一対のＥ字状部材は、
幅寸法一定の長尺の生地を左右に対称的に裁断する
と共に、
前記一対のＥ字状部材の前記左側第１水平部、前記左側第２水平部、前記右側第１水平部、前記右側第２水平部の切り抜きによって生じる裁断時の生地を前記第１接続部材に、
前記一対のＥ字状部材の前記左側第２水平部、前記左側第３水平部、前記右側第２水平部、前記右側第３水平部の切り抜きによって生じる裁断時の生地を前記第３接続部材に、それぞれ利用した
ことを特徴とする掛け布団用カバー。
【発明の詳細な説明】
【技術分野】
【０００１】
本発明は、掛け布団用カバーに係り、特に、生地の有効活用を図った掛け布団用カバーに関する。
【背景技術】
【０００２】
従来、例えば、図８乃至図１２に示す掛け布団ＺＦを出し入れする開口部Ｚ、Ｚを有する掛け布団用カバーＺＫがある。
この掛け布団用カバーＺＫは、上側生地Ｚ２の上端と下端を、図１０及び図１１に示すように折り曲げ、この折り曲げられた端部同士を下側生地Ｚ１を介して縫製により接合したものである。
これら部材を図１２に示す幅寸法（例えば、Ｂ）一定の長尺の生地から裁断する場合、
上側生地Ｚ２の一方を幅Ｂ、長さＡで裁断すると共に、開口部Ｚ、Ｚを形成するために矩形形状部Ｚ’、Ｚ’を切り抜く、次に、上側生地Ｚ２の一方と同様に、上側生地Ｚ２の他方を幅Ｂ、長さＡで裁断すると共に、開口部Ｚ、Ｚを形成するために矩形形状部Ｚ’、Ｚ’を切り抜く、次に、幅ＺＥ、長さＡで裁断して、下側生地Ｚ１を作成している。
しかしながら、この掛け布団用カバーＺＫにおいては、開口部Ｚ、Ｚを形成するために切り抜かれた矩形形状部Ｚ’、Ｚ’の掛け布団用カバーＺＫを作るための用途がなく、破棄されており、生地の有効活用を図ることができないという問題点があった。
【発明の開示】
【発明が解決しようとする課題】
【０００３】
本発明は、上記の問題点を除去するようにした掛け布団用カバーを提供することを目的とする。
【課題を解決するための手段】
【０００４】
上記目的を達成するために、本発明の掛け布団用カバーは、矩形形状の下側生地と、
この下側生地の外形形状に対応すると共に、掛け布団を出し入れする開口部を有する上側生地とを備え、この上側生地と前記下側生地とは縫製により結合され、前記上側生地と前記下側生地との間に掛け布団を収納できる掛け布団用カバーであって、前記上側生地は、左右に対称的に設けられた一対のＥ字状部材と、この一対のＥ字状部材を接続する接続部材とを有し、前記一対のＥ字状部材は、左側Ｅ字状部材と、右側Ｅ字状部材とを有し、
前記左側Ｅ字状部材は、左側垂直部と、この左側垂直部より側方に張り出す左側第１水平部、左側第２水平部、左側第３水平部とを有し、前記右側Ｅ字状部材は、右側垂直部と、この右側垂直部より側方に張り出す右側第１水平部、右側第２水平部、右側第３水平部とを有し、前記接続部材は、第１接続部材と、第２接続部材と、第３接続部材とを有し、前記第１接続部材は、前記左側第１水平部と前記右側第１水平部とを接続するものであり、
前記第２接続部材は、前記左側第２水平部と前記右側第２水平部とを接続するものであり、
前記第３接続部材は、前記左側第３水平部と前記右側第３水平部とを接続するものであり、前記開口部は、第１開口部と第２開口部であり、前記第１開口部は、前記左側垂直部、前記左側第１水平部、前記第１接続部材、前記右側第１水平部、前記右側垂直部、前記右側第２水平部、前記第２接続部材、前記左側第２水平部により囲まれた部分であり、前記第２開口部は、前記左側垂直部、前記左側第２水平部、前記第２接続部材、前記右側第２水平部、前記右側垂直部、前記右側第３水平部、前記第３接続部材、前記左側第３水平部により囲まれた部分であり、前記一対のＥ字状部材は、幅寸法一定の長尺の生地を左右に対称的に裁断すると共に、前記一対のＥ字状部材の前記左側第１水平部、前記左側第２水平部、前記右側第１水平部、前記右側第２水平部の切り抜きによって生じる裁断時の生地を前記第１接続部材に、前記一対のＥ字状部材の前記左側第２水平部、前記左側第３水平部、前記右側第２水平部、前記右側第３水平部の切り抜きによって生じる裁断時の生地を前記第３接続部材に、それぞれ利用したものである。
【発明の効果】
【０００５】
請求項１記載の掛け布団用カバーによれば、第１開口部は、左側垂直部、左側第１水平部、第１接続部材、右側第１水平部、右側垂直部、右側第２水平部、第２接続部材、左側第２水平部により囲まれた部分であり、また、第２開口部は、左側垂直部、左側第２水平部、第２接続部材、右側第２水平部、右側垂直部、右側第３水平部、第３接続部材、左側第３水平部により囲まれた部分であり、何れも、接続部材を介在させている分、幅寸法一定の長尺の生地を裁断して開口部を形成するため、切り抜く量を大きくとる必要がなく、しかも、幅寸法一定の長尺の生地を左右に対称的に裁断する際、左側第１水平部、左側第２水平部、右側第１水平部、右側第２水平部の切り抜きによって生じる裁断時の生地を第１接続部材に、左側第２水平部、左側第３水平部、右側第２水平部、右側第３水平部の切り抜きによって生じる裁断時の生地を第３接続部材に、それぞれ利用したため、生地の有効活用を図り、コスト的に安価な掛け布団用カバーを得ることができる。
【実施例】
【０００６】
本発明の一実施例の掛け布団用カバーを図面を参照して説明する。
図１に示す符号Ｋは掛け布団用カバーで、掛け布団用カバーＫは、図２に示すように、開口部２１、２２を介して出し入れ自在で、掛け布団Ｆを内在するものである（図３参照）。
【０００７】
掛け布団用カバーＫは、縦Ａ（例えば、約２２４ｃｍ）、横Ｂ＋Ｃ（例えば、約１１８ｃｍ）である矩形形状の下側生地１と、この下側生地１の外形形状に対応すると共に、掛け布団Ｆを出し入れする開口部（例えば、約４７ｃｍ×約５０ｃｍ）２１、２２を有する縦Ａ、横Ｂ＋Ｃである矩形形状の上側生地２とを備え、この上側生地２と下側生地１とは縫製（縫製の部位Ｘ１、Ｘ２）により結合され、上側生地２と下側生地１との間に掛け布団Ｆを収納できるようになっている。
【０００８】
上側生地２は、図６に示すように、左右に対称的に設けられた一対のＥ字状部材Ｅ、Ｅ’と、この一対のＥ字状部材Ｅ、Ｅ’を接続する接続部材Ｓとを有している。
一対のＥ字状部材Ｅ、Ｅ’は、左側Ｅ字状部材Ｅと、右側Ｅ字状部材Ｅ’とを有しており、左側Ｅ字状部材Ｅは、更に、左側垂直部Ｅ0と、この左側垂直部Ｅ0より側方に張り出す左側第１水平部Ｅ1、左側第２水平部Ｅ2、左側第３水平部Ｅ3を有し、
また、右側Ｅ字状部材Ｅ’は、右側垂直部Ｅ0’と、この右側垂直部Ｅ0’より側方に張り出す右側第１水平部Ｅ1’、右側第２水平部Ｅ2’、右側第３水平部Ｅ3’とを有している。
【０００９】
また、接続部材Ｓは、第１接続部材Ｓ1と、第２接続部材Ｓ2と、第３接続部材Ｓ3とを有している。そして、第１接続部材Ｓ1は、左側第１水平部Ｅ1と右側第１水平部Ｅ1’とを接続し、また、第２接続部材Ｓ2は、左側第２水平部Ｅ2と右側第２水平部Ｅ2’とを接続するものであり、更に、第３接続部材Ｓ3は、左側第３水平部Ｅ3と右側第３水平部Ｅ3’とを接続するようになっている。
【００１０】
また、開口部２１、２２は、第１開口部２１と第２開口部２２であり、第１開口部２１は、左側垂直部Ｅ0、左側第１水平部Ｅ1、第１接続部材Ｓ1、右側第１水平部Ｅ1’、右側垂直部Ｅ0’、右側第２水平部Ｅ2’、第２接続部材Ｓ2、左側第２水平部Ｅ2により囲まれた部分であり、
また、第２開口部２２は、左側垂直部Ｅ0、左側第２水平部Ｅ2、第２接続部材Ｓ2、右側第２水平部Ｅ2’、右側垂直部Ｅ0’、右側第３水平部Ｅ3’、第３接続部材Ｓ3、左側第３水平部Ｅ3により囲まれた部分となっている。
【００１１】
下側生地１は、図６（ｂ）に示すように、縦Ａ、横Ｂである矩形形状の第１下側生地部材１１と、縦Ａ、横Ｃ（例えば、約３９ｃｍ）である矩形形状の第２下側生地部材１２とを有し、第１下側生地部材１１と第２下側生地部材１２とを縫製により接合して構成されている（図４の縫製の部位Ｘ１参照）。
【００１２】
なお、上述した掛け布団用カバーＫを作るための部材を幅寸法（例えば、Ｂ）一定の長尺の生地からの裁断は次のようにして行う。
即ち、図７に示すように、一対のＥ字状部材Ｅ、Ｅ’は、幅寸法一定の長尺の生地を左右に対称的に裁断する。そして、一対のＥ字状部材Ｅ、Ｅ’の左側第１水平部Ｅ1、左側垂直部Ｅ0、左側第２水平部Ｅ2、右側第１水平部Ｅ1’、右側垂直部Ｅ0’、右側第２水平部Ｅ2’の切り抜きによって生じる裁断時の生地Ｋ1を第１接続部材Ｓ1に、一対のＥ字状部材Ｅ、Ｅ’の左側第２水平部Ｅ2、左側垂直部Ｅ0、左側第３水平部Ｅ3、右側第２水平部Ｅ2’、右側垂直部Ｅ0’、右側第３水平部Ｅ3’の切り抜きによって生じる裁断時の生地を第３接続部材Ｋ3に、それぞれ利用するものである。利用する際には、望ましくは、そのまま利用するのが良いが、多少加工のために縮小して使用しても良い。
【００１３】
その結果、この掛け布団用カバーＫによれば、第１開口部２１は、左側垂直部Ｅ0、左側第１水平部Ｅ1、第１接続部材Ｓ1、右側第１水平部Ｅ1’、右側垂直部Ｅ0’、右側第２水平部Ｅ2’、第２接続部材Ｓ2、左側第２水平部Ｅ2により囲まれた部分であり、また、第２開口部２２は、左側垂直部Ｅ0、左側第２水平部Ｅ2、第２接続部材Ｓ2、右側第２水平部Ｅ2’、右側垂直部Ｅ0、右側第３水平部Ｅ3’、第３接続部材Ｓ3、左側第３水平部Ｅ3により囲まれた部分であり、何れも、接続部材Ｓ（第１接続部材Ｓ1、第２接続部材Ｓ2、第３接続部材Ｓ3 ）を介在させている分、幅寸法一定の長尺の生地を裁断して開口部を形成するため、切り抜く量を大きくとる必要がなく、しかも、幅寸法一定の長尺の生地を左右に対称的に裁断する際、左側第１水平部Ｅ1、左側第２水平部Ｅ2、右側第１水平部Ｅ1’、右側第２水平部Ｅ2’の切り抜きによって生じる裁断時の生地を第１接続部材Ｓ1に、左側第２水平部Ｅ2、左側第３水平部Ｅ3、右側第２水平部Ｅ2’、右側第３水平部Ｅ3’の切り抜きによって生じる裁断時の生地を第３接続部材Ｓ3に、それぞれ利用したため、生地の有効活用を図り、コスト的に安価な掛け布団用カバーＫを得ることができる。
【図面の簡単な説明】
【００１４】
【図１】図１は、本発明の一実施例の掛け布団用カバーの概略的斜視図である。
【図２】図２は、図１の掛け布団用カバーに掛け布団を入れる前の状態の概略的斜視図である。
【図３】図３は、図１の掛け布団用カバーに掛け布団を入れた状態の概略的斜視図である。
【図４】図４は、図１の掛け布団用カバーを構成する上側生地と下側生地の概略的平面図である。
【図５】図５は、図１の掛け布団用カバーの概略的分解斜視図である。
【図６】図６（ａ）は、図１の掛け布団用カバーの上側生地の概略的分解図であり、図６（ｂ）は、図１の掛け布団用カバーの下側生地の概略的分解図である。
【図７】図７（ａ）は、長尺の生地から、図１の掛け布団用カバーの部材の裁断過程を示す概略的平面図であり、図７（ｂ）は、切り抜きによって生じる裁断時の生地を第１接続部材Ｋ1又は第３接続部材Ｋ3に利用できる形態の概略的平面図である。
【図８】図８は、従来の掛け布団用カバーに掛け布団を入れる前の状態の概略的斜視図である。
【図９】図９は、図８の掛け布団用カバーの概略的分解斜視図である。
【図１０】図１０は、図８の掛け布団用カバーを構成する上側生地の概略的展開図である。
【図１１】図１１（ａ）は、図１１の上側生地の概略的側面図であり、図１１（ｂ）は、図１１の上側生地の上端と下端を折り返した状態の概略的側面図である。
【図１２】図１２は、図８の掛け布団用カバーの部材の裁断過程を示す概略的平面図である。もので
【符号の説明】
【００１５】
Ｋ    掛け布団用カバー
Ｆ    掛け布団
Ｅ    Ｅ字状部材
Ｅ1   左側第１水平部 
Ｅ2   左側第２水平部
Ｅ3   左側第３水平部
Ｅ’  Ｅ字状部材
Ｅ1’ 右側第１水平部
Ｅ2’ 右側第２水平部
Ｅ3’ 右側第３水平部
Ｓ1   第１接続部材
Ｓ3   第３接続部材
１    下側生地
２    上側生地
【図１】
2006333917.tif 000003
【図２】
2006333917.tif 000004
【図３】
2006333917.tif 000005
【図４】
2006333917.tif 000006
【図５】
2006333917.tif 000007
【図６】
2006333917.tif 000008
【図７】
2006333917.tif 000009
【図８】
2006333917.tif 000010
【図９】
2006333917.tif 000011
【図１０】
2006333917.tif 000012
【図１１】
2006333917.tif 000013
【図１２】
2006333917.tif 000014